【手続補正書】
【提出日】平成17年4月28日(2005.4.28)
【手続補正１】
【補正対象書類名】明細書
【補正対象項目名】特許請求の範囲
【補正方法】変更
【補正の内容】
【特許請求の範囲】
【請求項１】
送信装置が送信した記録情報を記録媒体に記録する情報記録装置において、
前記送信装置が送信した記録情報を受信する受信手段と、
前記送信装置が、コピー制御情報を理解可能な第１の装置と、理解不能な第２の装置のいずれであるのかを判定する判定手段と、
前記送信装置が前記第１の装置である場合における前記コピー制御情報を更新するための第１の更新情報と、前記送信装置が前記第２の装置である場合における前記コピー制御情報を更新するための第２の更新情報とを記憶する記憶手段と、
前記判定手段の判定結果に対応して、前記記憶手段に記憶されている前記第１の更新情報または第２の更新情報を利用して、前記受信手段が受信した記録情報に含まれる前記コピー制御情報を更新し、更新した前記コピー制御情報を含む前記記録情報を前記記録媒体に記録する記録手段と
を備えることを特徴とする情報記録装置。
【請求項２】
前記記録手段は、前記記録情報を第１の記録モードまたは第２の記録モードで記録したことを表すモードフラグを、さらに前記記録媒体に記録する
ことを特徴とする請求項１に記載の情報記録装置。
【請求項３】
前記受信手段が受信した前記記録情報が、予め記録された状態で形成された記録媒体から再生された情報であるのか否かを判定する記録媒体判定手段をさらに備える
ことを特徴とする請求項１に記載の情報記録装置。
【請求項４】
前記記録媒体は、前記記録情報が第３の記録モードで記録されていることを表すモードフラグを予め記録している
ことを特徴とする請求項１に記載の情報記録装置。
【請求項５】
前記第１の更新情報及び第２の更新情報は、記録情報が予め記録された状態で形成された記録媒体では、所定の制限が設けられている
ことを特徴とする請求項１に記載の情報記録装置。
【請求項６】
前記コピー制御情報は、４種類である
ことを特徴とする請求項１に記載の情報記録装置。
【請求項７】
送信装置が送信した記録情報を記録媒体に記録する情報記録装置であって、コピー制御情報を更新するための第１の更新情報と第２の更新情報とを記憶する記憶部を備える情報記録装置における情報記録方法において、
前記送信装置が送信した記録情報を受信する受信ステップと、
前記送信装置が、コピー制御情報を理解可能な第１の装置と、理解不能な第２の装置のいずれであるのかを判定する判定ステップと、
前記判定ステップでの判定結果に対応して、前記記憶部に記憶されている、前記送信装置がコピー制御情報を理解可能な第１の装置である場合における前記コピー制御情報を更新するための前記第１の更新情報、または、前記送信装置が前記コピー制御情報を理解不可能な前記第２の装置である場合における前記コピー制御情報を更新するための前記第２の更新情報を利用して、前記受信ステップで受信した記録情報に含まれる前記コピー制御情報を更新し、更新した前記コピー制御情報を含む前記記録情報を前記記録媒体に記録する記録ステップと
を含むことを特徴とする情報記録方法。
【請求項８】
送信装置が送信した記録情報を記録媒体に記録する情報記録装置であって、コピー制御情報を更新するための第１の更新情報と第２の更新情報とを記憶する記憶部を備える情報記録装置に、
前記送信装置が送信した記録情報を受信する受信ステップと、
前記送信装置が、コピー制御情報を理解可能な第１の装置と、理解不能な第２の装置のいずれであるのかを判定する判定ステップと、
前記判定ステップでの判定結果に対応して、前記記憶部に記憶されている、前記送信装置がコピー制御情報を理解可能な第１の装置である場合における前記コピー制御情報を更新するための前記第１の更新情報、または、前記送信装置が前記コピー制御情報を理解不可能な前記第２の装置である場合における前記コピー制御情報を更新するための前記第２の更新情報を利用して、前記受信ステップで受信した記録情報に含まれる前記コピー制御情報を更新し、更新した前記コピー制御情報を含む前記記録情報を前記記録媒体に記録する記録ステップと
を含む処理を実行させるコンピュータが読み取り可能なプログラムを提供することを特徴とする提供媒体。
【請求項９】
記録媒体に記録されている情報を再生する情報再生装置において、
前記記録媒体から情報を再生する再生手段と、
前記再生手段により再生された再生情報が、コピー制御情報を理解可能な第１の装置としての第１の記録モードにより記録されたものであるのか、理解不能な第２の装置としての第２の記録モードにより記録されたものであるのかを判定する判定手段と、
前記再生情報が、前記第１の記録モードによる記録である場合における前記コピー制御情報を更新するための第１の更新情報、または前記第２の記録モードによる記録である場合における前記コピー制御情報を更新するための第２の更新情報の少なくとも一方を記憶する記憶手段と、
前記判定手段の判定結果に対応して、前記記憶手段に記憶されている前記第１または第２の更新情報を利用して、前記再生手段が再生した再生情報に含まれる前記コピー制御情報を更新し、更新した前記コピー制御情報を含む前記再生情報を出力する出力手段と
を備えることを特徴とする情報再生装置。
【請求項１０】
前記判定手段の判定結果に対応して、前記再生手段による前記記録媒体の再生を制御する制御手段をさらに備える
ことを特徴とする請求項９に記載の情報再生装置。
【請求項１１】
前記記憶手段は、前記第１の更新情報と第２の更新情報を記憶するとともに、前記再生情報が、前記第１の記録モードと第２の記録モードのいずれの記録モードでもない場合における第３の更新情報をさらに記憶し、
前記出力手段は、前記判定手段の判定結果に対応して、前記記憶手段に記憶されている前記第１、第２、または第３の更新情報を利用して、前記再生手段が再生した再生情報に含まれる前記コピー制御情報を更新する
ことを特徴とする請求項９に記載の情報再生装置。
【請求項１２】
前記出力手段は、前記記録媒体が、前記記録情報が予め記録された状態で形成された記録媒体であることを表す既記録フラグをさらに出力する
ことを特徴とする請求項９に記載の情報再生装置。
【請求項１３】
記録媒体に記録されている情報を再生する情報再生装置における情報再生方法において
前記記録媒体から情報を再生する再生ステップと、
前記再生ステップで再生された再生情報が、コピー制御情報を理解可能な第１の装置としての第１の記録モードにより記録されたものであるのか、理解不能な第２の装置としての第２の記録モードにより記録されたものであるのかを判定する判定ステップと、
前記再生情報が、前記第１の記録モードによる記録である場合における前記コピー制御情報を更新するための第１の更新情報、または前記第２の記録モードによる記録である場合における前記コピー制御情報を更新するための第２の更新情報の少なくとも一方を記憶する記憶ステップと、
前記判定ステップでの判定結果に対応して、前記記憶ステップで記憶された前記第１または第２の更新情報を利用して、前記再生ステップで再生した再生情報に含まれる前記コピー制御情報を更新し、更新した前記コピー制御情報を含む前記再生情報を出力する出力ステップと
を含むことを特徴とする情報再生方法。
【請求項１４】
記録媒体に記録されている情報を再生する情報再生装置に、
前記記録媒体から情報を再生する再生ステップと、
前記再生ステップで再生された再生情報が、コピー制御情報を理解可能な第１の装置としての第１の記録モードにより記録されたものであるのか、理解不能な第２の装置としての第２の記録モードにより記録されたものであるのかを判定する判定ステップと、
前記再生情報が、前記第１の記録モードによる記録である場合における前記コピー制御情報を更新するための第１の更新情報、または前記第２の記録モードによる記録である場合における前記コピー制御情報を更新するための第２の更新情報の少なくとも一方を記憶する記憶ステップと、
前記判定ステップでの判定結果に対応して、前記記憶ステップで記憶された前記第１または第２の更新情報を利用して、前記再生ステップで再生した再生情報に含まれる前記コピー制御情報を更新し、更新した前記コピー制御情報を含む前記再生情報を出力する出力ステップと
を含む処理を実行させるコンピュータが読み取り可能なプログラムを提供することを特徴とする提供媒体。
【請求項１５】
送信装置が送信した記録情報を記録媒体に記録する情報記録装置において、
前記送信装置がパケット化して送信した記録情報であって、前記パケットのデータ内に第１のコピー制御情報を含み、前記パケットのヘッダエリアに第２のコピー制御情報を含む前記記録情報を受信する受信手段と、
前記受信手段により受信された前記第１のコピー制御情報と、前記第２のコピー制御情報のうち、最も厳しいコピー制御情報に基づいて、前記記録情報に含まれる前記第１のコピー制御情報又は前記第２のコピー制御情報を更新し、更新又は更新しなかった前記第１のコピー制御情報と前記第２のコピー制御情報とを含む前記記録情報を、前記記録媒体に記録する記録手段と
を備えることを特徴とする情報記録装置。
【請求項１６】
前記記録手段は、前記第２のコピー制御情報のうち、最も厳しいコピー制御情報に基づいて、前記記録情報に含まれる前記第２のコピー制御情報を更新し、前記受信した第１のコピー制御と前記更新した第２のコピー制御情報とを含む前記記録情報を、前記記録媒体に記録する
ことを特徴とする請求項１５に記載の情報記録装置。
【請求項１７】
送信装置が送信した記録情報を記録媒体に記録する情報記録装置における情報記録方法において、
前記送信装置がパケット化して送信した記録情報であって、前記パケットのデータ内に第１のコピー制御情報を含み、前記パケットのヘッダエリアに第２のコピー制御情報を含む前記記録情報を受信する受信ステップと、
前記受信ステップの処理により受信された前記第１のコピー制御情報と、前記第２のコピー制御情報のうち、最も厳しいコピー制御情報に基づいて、前記記録情報に含まれる前記第１のコピー制御情報又は前記第２のコピー制御情報を更新し、更新又は更新しなかった前記第１のコピー制御情報と、前記第２のコピー制御情報とを含む前記記録情報を、前記記録媒体に記録する記録ステップと
を含むことを特徴とする情報記録方法。
【請求項１８】
送信装置が送信した記録情報を記録媒体に記録する情報記録装置に、
前記送信装置がパケット化して送信した記録情報であって、前記パケットのデータ内に第１のコピー制御情報を含み、前記パケットのヘッダエリアに第２のコピー制御情報を含む前記記録情報を受信する受信ステップと、
前記受信ステップの処理により受信された前記第１のコピー制御情報と、前記第２のコピー制御情報のうち、最も厳しいコピー制御情報に基づいて、前記記録情報に含まれる前記第１のコピー制御情報又は前記第２のコピー制御情報を更新し、更新又は更新しなかった前記第１のコピー制御情報と前記第２のコピー制御情報とを含む前記記録情報を、前記記録媒体に記録する記録ステップと
を含む処理を実行させるコンピュータが読み取り可能なプログラムを提供することを特徴とする提供媒体。
【手続補正２】
【補正対象書類名】明細書
【補正対象項目名】０００９
【補正方法】変更
【補正の内容】
【０００９】
請求項７に記載の情報記録方法は、送信装置が送信した記録情報を受信する受信ステップと、送信装置が、コピー制御情報を理解可能な第１の装置と、理解不能な第２の装置のいずれであるのかを判定する判定ステップと、判定ステップでの判定結果に対応して、記憶部に記憶されている、送信装置がコピー制御情報を理解可能な第１の装置である場合におけるコピー制御情報を更新するための第１の更新情報、または、送信装置がコピー制御情報を理解不可能な第２の装置である場合におけるコピー制御情報を更新するための第２の更新情報を利用して、受信ステップで受信した記録情報に含まれるコピー制御情報を更新し、更新したコピー制御情報を含む記録情報を記録媒体に記録する記録ステップとを含むことを特徴とする。
【手続補正３】
【補正対象書類名】明細書
【補正対象項目名】００１０
【補正方法】変更
【補正の内容】
【００１０】
請求項８に記載の提供媒体は、送信装置が送信した記録情報を受信する受信ステップと、送信装置が、コピー制御情報を理解可能な第１の装置と、理解不能な第２の装置のいずれであるのかを判定する判定ステップと、判定ステップでの判定結果に対応して、記憶部に記憶されている、送信装置がコピー制御情報を理解可能な第１の装置である場合におけるコピー制御情報を更新するための第１の更新情報、または、送信装置がコピー制御情報を理解不可能な第２の装置である場合におけるコピー制御情報を更新するための第２の更新情報を利用して、受信ステップで受信した記録情報に含まれるコピー制御情報を更新し、更新したコピー制御情報を含む記録情報を記録媒体に記録する記録ステップとを含む処理を情報記録装置に実行させるコンピュータが読み取り可能なプログラムを提供することを特徴とする。
【手続補正４】
【補正対象書類名】明細書
【補正対象項目名】００１３
【補正方法】変更
【補正の内容】
【００１３】
請求項１４に記載の提供媒体は、記録媒体に記録されている情報を再生する情報再生装置に、記録媒体から情報を再生する再生ステップと、再生ステップで再生された再生情報が、コピー制御情報を理解可能な第１の装置としての第１の記録モードにより記録されたものであるのか、理解不能な第２の装置としての第２の記録モードにより記録されたものであるのかを判定する判定ステップと、再生情報が、第１の記録モードによる記録である場合におけるコピー制御情報を更新するための第１の更新情報、または第２の記録モードによる記録である場合におけるコピー制御情報を更新するための第２の更新情報の少なくとも一方を記憶する記憶ステップと、判定ステップでの判定結果に対応して、記憶ステップで記憶された第１または第２の更新情報を利用して、再生ステップで再生した再生情報に含まれるコピー制御情報を更新し、更新したコピー制御情報を含む再生情報を出力する出力ステップとを含む処理を情報再生装置に実行させるコンピュータが読み取り可能なプログラムを提供することを特徴とする。
請求項１５に記載の情報記録装置は、送信装置がパケット化して送信した記録情報であって、パケットのデータ内に第１のコピー制御情報を含み、パケットのヘッダエリアに第２のコピー制御情報を含む記録情報を受信する受信手段と、受信手段により受信された第１のコピー制御情報と、第２のコピー制御情報のうち、最も厳しいコピー制御情報に基づいて、記録情報に含まれる第１のコピー制御情報又は第２のコピー制御情報を更新し、更新又は更新しなかった第１のコピー制御情報と第２のコピー制御情報とを含む記録情報を、記録媒体に記録する記録手段とを備えることを特徴とする。
請求項１７に記載の情報記録方法は、送信装置がパケット化して送信した記録情報であって、パケットのデータ内に第１のコピー制御情報を含み、パケットのヘッダエリアに第２のコピー制御情報を含む記録情報を受信する受信ステップと、受信ステップの処理により受信された第１のコピー制御情報と、第２のコピー制御情報のうち、最も厳しいコピー制御情報に基づいて、記録情報に含まれる第１のコピー制御情報又は第２のコピー制御情報を更新し、更新又は更新しなかった第１のコピー制御情報と、第２のコピー制御情報とを含む記録情報を、記録媒体に記録する記録ステップとを含むことを特徴とする。
請求項１８に記載の提供媒体は、送信装置がパケット化して送信した記録情報であって、パケットのデータ内に第１のコピー制御情報を含み、パケットのヘッダエリアに第２のコピー制御情報を含む記録情報を受信する受信ステップと、受信ステップの処理により受信された第１のコピー制御情報と、第２のコピー制御情報のうち、最も厳しいコピー制御情報に基づいて、記録情報に含まれる第１のコピー制御情報又は第２のコピー制御情報を更新し、更新又は更新しなかった第１のコピー制御情報と、第２のコピー制御情報とを含む記録情報を、記録媒体に記録する記録ステップとを含む処理を情報記録装置に実行させるコンピュータが読み取り可能なプログラムを提供することを特徴とする。
【手続補正５】
【補正対象書類名】明細書
【補正対象項目名】００１５
【補正方法】変更
【補正の内容】
【００１５】
請求項９に記載の情報再生装置、請求項１３に記載の情報再生方法、および請求項１４に記載の提供媒体においては、再生情報が、第１の記録モードにより記録されたものであるのか、第２の記録モードにより記録されたものであるのかが判定され、その判定結果に対応して、更新情報を利用して、コピー制御情報が更新される。
請求項１５に記載の情報記録装置、請求項１７に記載の情報記録方法、および請求項１８に記載の提供媒体においては、送信装置がパケット化して送信した記録情報であって、パケットのデータ内に第１のコピー制御情報を含み、パケットのヘッダエリアに第２のコピー制御情報を含む記録情報が受信され、受信された第１のコピー制御情報と、第２のコピー制御情報のうち、最も厳しいコピー制御情報に基づいて、記録情報に含まれる第１のコピー制御情報又は第２のコピー制御情報が更新される。
【手続補正６】
【補正対象書類名】明細書
【補正対象項目名】００２４
【補正方法】変更
【補正の内容】
【００２４】
請求項１２に記載の情報再生装置は、出力手段は、記録媒体が、記録情報が予め記録された状態で形成された記録媒体であることを表す既記録フラグ（例えば、図４２のステップＳ２４３におけるpre-rec flag=1）をさらに出力することを特徴とする。
請求項１５に記載の情報記録装置は、送信装置がパケット化して送信した記録情報であって、パケットのデータ内に第１のコピー制御情報（例えば、CCI）を含み、パケットのヘッダエリアに第２のコピー制御情報（例えば、EMI）を含む記録情報を受信する受信手段（例えば、図２の１３９４通信部２８）と、受信手段により受信された第１のコピー制御情報と、第２のコピー制御情報のうち、最も厳しいコピー制御情報に基づいて、記録情報に含まれる第１のコピー制御情報又は第２のコピー制御情報を更新し、更新又は更新しなかった第１のコピー制御情報と第２のコピー制御情報とを含む記録情報を、記録媒体に記録する記録手段（例えば、図２の光学ヘッド２３）とを備えることを特徴とする。
【手続補正７】
【補正対象書類名】明細書
【補正対象項目名】０２８１
【補正方法】変更
【補正の内容】
【０２８１】
請求項９に記載の情報再生装置、請求項１３に記載の情報再生方法、および請求項１４に記載の提供媒体によれば、第１の記録モードによる記録と、第２の記録モードによる記録のいずれのモードによる記録かを判定し、その判定結果に対応して、コピー制御情報を更新するようにしたので、より確実にコピー制御情報を管理することが可能となる。
請求項１５に記載の情報記録装置、請求項１７に記載の情報記録方法、および請求項１８に記載の提供媒体によれば、受信された第１のコピー制御情報と、第２のコピー制御情報のうち、最も厳しいコピー制御情報に基づいて、記録情報に含まれる第１のコピー制御情報又は第２のコピー制御情報を更新するようにしたので、より正確にコピー制御情報を管理することが可能となる。